(57)【要約】【課題】斜め接続を抑制し、シール部材の座屈を防止することができるコネクタ接続治具を提供する。【解決手段】治具付防水型コネクタ１は、ハーネス付防水型コネクタ２と、治具５と、を備えて構成されている。治具５は、ハーネス付防水型コネクタ２が取付けられている。作業者は、相手コネクタ７とハーネス付防水型コネクタ２の防水型コネクタ３を接続するとき、治具５から露出する所定の領域に限定して、接続方向に力を付加するので、斜め接続による、シールパッキン３３の座屈を防止することができる。【選択図】図１
2010055956.tif 000002
【特許請求の範囲】
【請求項１】
相手コネクタと接続状態にあるとき、前記接続状態にある少なくとも１つの端子を有する接続部と、前記相手コネクタとの間に介在し、前記接続部に対する物質の侵入を防止するシール部材と、前記相手コネクタの第１のロック部と結合を行うことによって前記接続状態を保持する第２のロック部と、を備えたコネクタを保持する形状を有する本体と、
保持した前記コネクタを接続方向に取出すことができるように前記本体に設けられた第１の開口と、
前記第１の開口に対向して設けられ、前記コネクタの側面部の所定の領域が露出する第２の開口と、
を備えたコネクタ接続治具。
【請求項２】
前記本体は、前記コネクタを保持した状態で前記相手コネクタと接続するとき、前記相手コネクタが前記シール部材と接触する前で、かつ、前記結合が行われる前に、前記第１の開口の先端部が所定の部材に接触することによって前記接続方向の変位を規制される請求項１に記載のコネクタ接続治具。
【請求項３】
前記所定の領域は、前記側面部の中央部分から前記中央部分に近い端部までを含む領域である請求項１に記載のコネクタ接続治具。
【請求項４】
前記物質は、水である請求項１に記載のコネクタ接続治具。
【請求項５】
電線が接続された端子と、相手コネクタと接続状態にあるとき、前記接続状態にある少なくとも１つの端子を有する接続部と、前記相手コネクタとの間に介在し、前記接続部に対する物質の侵入を防止するシール部材と、前記相手コネクタの第１のロック部と結合を行うことによって前記接続状態を保持する第２のロック部と、を備えたコネクタを保持する形状を有する本体と、
保持した前記コネクタを接続方向に取出すことができるように前記本体に設けられた第１の開口と、
前記第１の開口に対向して設けられ、前記コネクタの側面部の所定の領域が露出する第２の開口と、
前記結合の状態を確認できるように前記本体に設けられた第３の開口と、
前記第１の開口、及び前記第２の開口と繋がり、前記本体から前記コネクタを取出すとき、前記電線を取出せる第４の開口と、
を備えたコネクタ接続治具。
【請求項６】
前記本体は、前記コネクタを保持した状態で前記相手コネクタと接続するとき、前記相手コネクタが前記シール部材と接触する前で、かつ、前記結合が行われる前に、前記第１の開口の先端部が所定の部材に接触することによって前記接続方向の変位を規制される請求項５に記載のコネクタ接続治具。
【請求項７】
前記所定の領域は、前記側面部の中央部分から前記中央部分に近い端部までを含む領域である請求項５に記載のコネクタ接続治具。
【請求項８】
前記物質は、水である請求項５に記載のコネクタ接続治具。
【発明の詳細な説明】
【技術分野】
【０００１】
本発明は、コネクタ接続治具に関する。
【背景技術】
【０００２】
従来の技術として、ハウジングと、ハウジング内に設けられ、相手コネクタの雄端子金具と結合する雌端子金具を有する結合部と、結合部の外周に設けられたシール部材と、を備えた防水コネクタが知られている（例えば、特許文献１参照）。
【０００３】
この防水コネクタは、結合部に第１の段差部が形成され、この第１の段差部に対応する第２の段差部が、シール部材に形成されている。この第１及び第２の段差部は、互いに接触しているので、相手コネクタとの接続方向へのシール部材の変位が規制され、シール部材の座屈を防止することができる。
【０００４】
また、従来の技術として、フード部、及びこのフード部内にタブを突出させた状態で雄端子金具を収容する雄端子収容部の外周に設けられたシールリングを有する雄ハウジングと、雌端子金具を収容し、フード部内に接続可能な雌ハウジングと、を備えたコネクタが知られている（例えば、特許文献２参照）。
【０００５】
このコネクタは、雌ハウジングの外周面と雄ハウジングのフード部の内周面とに、両ハウジングの接続方向に沿って延びて互いに凹凸接続可能なリブと凹溝が設けられ、両ハウジングが接続するとき、この凹溝にリブが嵌り、リブが凹溝に案内されることによって、両ハウジングは、こじることなく接続可能となる。
【０００６】
さらに、従来の技術として、先端部の両端に肩が形成されたフレーム、複数の雌コネクタ端子、及び外周面に接続方向に延びる案内溝を有する挿入側コネクタ部と、挿入側コネクタ部の挿入時に挿入側コネクタ部の肩が接触するコネクタ姿勢矯正手段が設けられたフレーム、雌コネクタ端子と接続する雄コネクタ端子、及び内周面に案内溝に嵌る案内リブを有する受入側コネクタ部と、を備えたコネクタが知られている（例えば、特許文献３参照）。
【０００７】
このコネクタは、受入側コネクタ部に挿入側コネクタ部を斜め方向に接続するとき、挿入側コネクタ部の肩が受入側コネクタ部のコネクタ姿勢矯正手段に接触することによって接続方向が矯正され、挿入側コネクタ部の案内溝に受入側コネクタ部の案内リブが嵌り、案内リブが案内溝に案内されることによって、両コネクタ部は、こじることなく接続可能となる。
【特許文献１】特開２００３−２６４０３２号公報
【特許文献２】特開２０００−３１５５４８号公報
【特許文献３】特開２０００−２０８２０７号公報
【発明の開示】
【発明が解決しようとする課題】
【０００８】
しかし、特許文献１に記載の従来の防水コネクタは、相手コネクタ、ハウジング及び結合部等が樹脂で形成されているため、防水コネクタを相手コネクタに挿入するとき、接続方向に対して傾いた力を防水コネクタに付加することで防水コネクタを傾いたまま斜めに接続することが可能であり、斜めに接続することでシール部材に偏った力が付加され、シール部材の座屈が発生する可能性があった。
【０００９】
また、特許文献２に記載の従来のコネクタは、上記の例と同様に、どちらかのハウジングに対して接続方向からずれた大きな力が付加された場合、両ハウジングを斜めに接続することが可能であり、シールリングの座屈が発生する可能性があった。
【００１０】
さらに、特許文献３に記載の従来のコネクタは、上記の例と同様に、どちらかのコネクタ部に対して接続方向からずれた大きな力が付加された場合、両コネクタ部を斜めに接続することが可能であった。
【００１１】
従って本発明の目的は、斜め接続を抑制し、シール部材の座屈を防止することができるコネクタ接続治具を提供することにある。
【課題を解決するための手段】
【００１２】
（１）本発明は上記目的を達成するため、相手コネクタと接続状態にあるとき、前記接続状態にある少なくとも１つの端子を有する接続部と、前記相手コネクタとの間に介在し、前記接続部に対する物質の侵入を防止するシール部材と、前記相手コネクタの第１のロック部と結合を行うことによって前記接続状態を保持する第２のロック部と、を備えたコネクタを保持する形状を有する本体と、保持した前記コネクタを接続方向に取出すことができるように前記本体に設けられた第１の開口と、前記第１の開口に対向して設けられ、前記コネクタの側面部の所定の領域が露出する第２の開口と、を備えたコネクタ接続治具を提供する。
【００１３】
（２）本発明は上記目的を達成するため、前記本体は、前記コネクタを保持した状態で前記相手コネクタと接続するとき、前記相手コネクタが前記シール部材と接触する前で、かつ、前記結合が行われる前に、前記第１の開口の先端部が所定の部材に接触することによって前記接続方向の変位を規制される前記（１）に記載のコネクタ接続治具を提供する。
【００１４】
（３）本発明は上記目的を達成するため、前記所定の領域は、前記側面部の中央部分から前記中央部分に近い端部までを含む領域である前記（１）に記載のコネクタ接続治具を提供する。
【００１５】
（４）本発明は上記目的を達成するため、前記物質は、水である前記（１）に記載のコネクタ接続治具を提供する。
【００１６】
（５）本発明は上記目的を達成するため、電線が接続された端子と、相手コネクタと接続状態にあるとき、前記接続状態にある少なくとも１つの端子を有する接続部と、前記相手コネクタとの間に介在し、前記接続部に対する物質の侵入を防止するシール部材と、前記相手コネクタの第１のロック部と結合を行うことによって前記接続状態を保持する第２のロック部と、を備えたコネクタを保持する形状を有する本体と、保持した前記コネクタを接続方向に取出すことができるように前記本体に設けられた第１の開口と、前記第１の開口に対向して設けられ、前記コネクタの側面部の所定の領域が露出する第２の開口と、前記結合の状態を確認できるように前記本体に設けられた第３の開口と、前記第１の開口、及び前記第２の開口と繋がり、前記本体から前記コネクタを取出すとき、前記電線を取出せる第４の開口と、を備えたコネクタ接続治具を提供する。
【００１７】
（６）本発明は上記目的を達成するため、前記本体は、前記コネクタを保持した状態で前記相手コネクタと接続するとき、前記相手コネクタが前記シール部材と接触する前で、かつ、前記結合が行われる前に、前記第１の開口の先端部が所定の部材に接触することによって前記接続方向の変位を規制される前記（５）に記載のコネクタ接続治具を提供する。
【００１８】
（７）本発明は上記目的を達成するため、前記所定の領域は、前記側面部の中央部分から前記中央部分に近い端部までを含む領域である前記（５）に記載のコネクタ接続治具を提供する。
【００１９】
（８）本発明は上記目的を達成するため、前記物質は、水である前記（５）に記載のコネクタ接続治具を提供する。
【発明の効果】
【００２０】
このような発明によれば、斜め接続を抑制し、シール部材の座屈を防止することができる。
【発明を実施するための最良の形態】
【００２１】
以下に、本発明のコネクタ接続治具の実施の形態を図面を参考にして詳細に説明する。
【００２２】
[実施の形態]
（治具付防水型コネクタの構成）
図１は、本発明の実施の形態に係る治具付防水型コネクタの斜視図である。図１は、治具５がハーネス付防水型コネクタ２に取付けられた状態を示している。このハーネス付防水型コネクタ２は、一例として、車両に搭載された後述する相手コネクタに接続するものとし、ハーネス４は、一例として、車両に搭載された電子機器に他のコネクタを介して接続されているものとする。
【００２３】
この治具付防水型コネクタ１は、図１に示すように、ハーネス付防水型コネクタ２と、治具（コネクタ接続治具）５と、を備えて概略構成されている。
【００２４】
ハーネス付防水型コネクタ２は、相手コネクタとの接続後に、一例として、埃、水及び気体等の物質の浸入を防止する構造を有したコネクタである。
【００２５】
治具５は、一例として、ハーネス付防水型コネクタ２に取付けた状態で提供されるものであり、相手コネクタとの接続時の斜め接続を防止するためのコネクタ接続治具である。
【００２６】
また治具５は、ハーネス付防水型コネクタ２と相手コネクタとの接続が終了したのち、容易に取外すことができ、回収して再利用することができる。
【００２７】
（防水型コネクタの構成）
図２は、本発明の実施の形態に係るハーネス付防水型コネクタの斜視図であり、図３は、本発明の実施の形態に係る防水型コネクタの図２におけるＡ−Ａ線断面図である。
【００２８】
ハーネス付防水型コネクタ２は、一例として、車両において水が浸入する可能性のある場所に使用されるものであり、図２に示すように、防水型コネクタ３と、ハーネス４と、を備えて概略構成されている。
【００２９】
防水型コネクタ３は、矩形状を有し、樹脂によって形成されたコネクタ本体３０と、相手コネクタのロック部と結合することで、相手コネクタとの接続状態を保持するロック部３１と、挿入部３２の上段に設けられた端子挿入開口３２Ａ〜３２Ｅに挿入され、相手コネクタの雄端子が挿入されることで、雄端子と電気的に接続する雌端子（端子）３２ａ〜３２ｅと、雌端子３２ａ〜３２ｅが配置される端子挿入開口３２Ａ〜３２Ｊを有する挿入部（接続部）３２と、挿入部３２の外周部に密着するように設けられたシールパッキン（シール部材）３３と、端子挿入開口３２Ａ〜３２Ｊに挿入される雌端子をコネクタ本体３０に固定するリテーナ３４と、を備えて概略構成されている。なお、挿入部３２の下段に設けられた端子挿入開口３２Ｆ〜３２Ｊには、一例として、雌端子３２ａ〜３２ｅと同様の機能及び構成を有する図示しない雌端子が挿入されているものとする。また、端子挿入開口３２Ａ〜３２Ｊ及び端子の種類は、これに限定されず、用途に応じて変更可能である。
【００３０】
このコネクタ本体３０は、図２に示すように、外側の両側面部に、相手コネクタに対する接続方向に沿って設けられ、治具５に設けられた後述するガイドに挿入することによって接続方向の変位を案内する側面部ガイド３００と、側面部に設けられ、リテーナ３４を挿入するための開口である側面部開口３０１と、挿入部３２とコネクタ本体３０の間に形成された空間であり、後述する相手コネクタのコネクタ本体が挿入される挿入孔３０２と、側面部ガイド３００に対向するコネクタ本体３０の内側に設けられ、後述する相手コネクタの外側側面部に設けられたガイドが挿入されることによって、相手コネクタの挿入を案内する挿入ガイド３０３と、後述する相手コネクタの外側上面部に設けられたガイドが挿入されることによって、相手コネクタの挿入を案内する挿入ガイド３０４と、を備えて概略構成されている。
【００３１】
ロック部３１は、略三角形状を有し、ハーネス４方向に押下げすることによってロック板３１１を押下げ方向とは反対方向に変位させる押下部３１０と、矩形状を有し、先端部にロック開口３１２を有するロック板３１１と、相手コネクタの後述する爪部が挿入されるロック開口３１２と、を備えて概略構成されている。
【００３２】
挿入部３２は、図３に示すように、矩形状を有して５行２列に格子状に並べられた端子挿入開口３２Ａ〜３２Ｊを備え、挿入部３２の上段に配置された端子挿入開口３２Ａ〜３２Ｅには、導電性を有する金属によって形成された雌端子３２ａ〜３２ｅが挿入固定されている。同様に挿入部３２の下段に配置された端子挿入開口３２Ｄ〜３２Ｊには、雌端子３２ａ〜３２ｅと同様の雌端子（図示せず）が挿入固定されている。
【００３３】
上段に配置される雌端子３２ａ〜３２ｅには、電線４０Ａ〜４０Ｅがそれぞれ電気的に接続され、下段の雌端子にも同様に電線（電線４０Ｊのみ図２において図示している）が電気的に接続されており、上下二段に束ねられたこれらの電線をハーネス４と呼ぶものとする。
【００３４】
（シールパッキンの構成）
図４（ａ）は、本発明の実施の形態に係るシールパッキンの概略図であり、（ｂ）は、図４におけるＢ−Ｂ線断面図である。シールパッキン３３は、一例として、天然ゴム及び合成ゴム等の有機材料によって、図４（ａ）に示す略リング形状に形成されている。
【００３５】
シールパッキン３３は、一例として、図４（ｂ）に示すように、先端部３３０と、第１の山部３３１と、第１の谷部３３２と、第２の山部３３３と、第２の谷部３３４と、第３の山部３３５と、終端部３３６と、を備えて概略構成されている。
【００３６】
（治具の構成）
図５は、本発明の実施の形態に係る治具の斜視図である。治具５は、一例として、樹脂によって箱形状に形成された治具本体５０を備え、治具本体５０は、防水型コネクタ３を収納及び保持する収納部５１を有している。
【００３７】
治具本体５０は、挿入用開口（第１の開口）５１０と、取付用開口（第４の開口）５１１と、第２の開口としてのハーネス用開口５１２及び押下用開口５１３と、止部５１４と、ロック確認用開口（第３の開口）５１５と、ガイド５１６と、を備えて概略構成されている。
【００３８】
挿入用開口５１０、取付用開口５１１、ハーネス用開口５１２及び押下用開口５１３は、図５に示すよう繋がって１つの大きな開口を形成しており、挿入用開口５１０は、一例として、防水型コネクタ３の接続方向に対応する治具本体５０の側面部に設けられた開口であり、収納部５１に収納された防水型コネクタ３を相手コネクタに接続するとき、相手コネクタが挿入される開口である。相手コネクタの先端部は、この挿入用開口５１０を介して防水型コネクタ３の挿入部３２に挿入される。
【００３９】
取付用開口５１１は、治具５に防水型コネクタ３を取付け、及び治具５から取外しする際に必要となる開口であり、この開口から、ハーネス４が取付け、及び取外しされる。また、取付用開口５１１は、挿入用開口５１０とハーネス用開口５１２とが繋がるように治具本体５０の側面部に形成されている。
【００４０】
ハーネス用開口５１２は、治具５に防水型コネクタ３を取り付けた際、ハーネス４が取り出される開口であり、挿入用開口５１０に対向する側面部に設けられ、取付用開口５１１と繋がるように形成されている。
【００４１】
押下用開口５１３は、取付用開口５１１に対向する側面部に設けられ、ハーネス用開口５１２と繋がるように形成され、図１に示すように、この押下用開口５１３からロック部３１が露出している。
【００４２】
この取付用開口５１１、ハーネス用開口５１２及び押下用開口５１３は、防水型コネクタ３の所定の領域を限定して露出させることで、防水型コネクタ３の押下部３１０、及び押下部３１０に近い端部付近以外の部分に対する作業者による力の付加を規制している。この規制によって、防水型コネクタ３は、接続方向に力の付加が行われることになり、シールパッキン３３の座屈を防止することができる。
【００４３】
ここで所定の領域とは、防水型コネクタ３のハーネス４が接続される側面部の中央部分としてのハーネス用開口５１２からハーネス用開口５１２に近い端部として、取付用開口５１１のハーネス用開口５１２近傍の部分、及び押下用開口５１３までを含む領域である。
【００４４】
押下用開口５１３の接続方向の長さは、相手コネクタとの接続に必要なストロークに基づいて設定される。
【００４５】
止部５１４は、ハーネス用開口５１２の長手方向の両端部のことを示しており、この止部５１４と防水型コネクタ３の端部３５が接触することによって、治具５に対する防水型コネクタ３の接続方向とは反対方向の変位を規制している。
【００４６】
ロック確認用開口５１５は、防水型コネクタ３のロック部３１に基づいて治具本体５０の側面部に設けられ、相手コネクタのロック部と防水型コネクタ３とロック部３１とが接続状態にあるとき、接続状態を確認することができるものである。
【００４７】
ガイド５１６は、収納部５１の対向する内壁に接続方向に沿ってそれぞれ設けられている。また、ガイド５１６が設けられた位置は、防水型コネクタ３の側面部に設けられた側面部ガイド３００に基づいて形成されている。
【００４８】
防水型コネクタ３は、側面部ガイド３００がガイド５１６に挿入されることによって、ガイド５１６に案内されて治具５内を変位する。
【００４９】
（相手コネクタの構成）
図６は、本発明の実施の形態に係る相手コネクタの概略図である。電子機器６に設けられたコネクタを例に取って説明する。
【００５０】
相手コネクタ７は、一例として、樹脂によって形成され、図６に示すように、コネクタ本体７０と、開口７１と、ガイド７２と、ロック部７３と、基部（所定の部材）７４と、を備えて概略構成され、電子機器６の設置面６０に対して垂直方向に立ち上がるように設けられている。
【００５１】
コネクタ本体７０は、基部７４から立ち上がるように形成され、その形状が、防水型コネクタ３の挿入部３２と相似であり、コネクタ本体７０が挿入孔３０２に、挿入部３２が開口７１に、それぞれ挿入可能な形状となっている。
【００５２】
またコネクタ本体７０は、防水型コネクタ３の端子挿入開口３２Ａ〜３２Ｊに基づいた位置に雌端子と電気的に接続される雄端子（図示せず）を備えている。
【００５３】
ガイド７２は、コネクタ本体７０の外側の対向する側面部に接続方向に延伸して設けられ、防水型コネクタ３の挿入ガイド３０３に基づいて設けられている。
【００５４】
ロック部７３は、図６に示すように、２つのガイド７３０と、爪部７３１と、を備えて概略構成されている。
【００５５】
２つのガイド７３０は、防水型コネクタ３の挿入ガイド３０４に挿入されることによって、防水型コネクタ３の接続方向の変位を案内する。
【００５６】
爪部７３１は、コネクタ本体７０から突出して設けられた略三角形状の部材であり、防水型コネクタ３のロック部３１のロック開口３１２に挿入されることによって防水型コネクタ３は相手コネクタ７に結合される。
【００５７】
（動作）
以下に、本実施の形態における治具付防水型コネクタの動作を各図を参照して詳細に説明する。作業者が、治具５を用いて防水型コネクタ３を相手コネクタ７に接続する動作について説明する。
【００５８】
図７は、本発明の実施の形態に係る治具付防水型コネクタの接続開始時の概略図であり、図８は、本発明の実施の形態に係る治具付防水型コネクタの接続途中の概略図であり、図９は、本発明の実施の形態に係る治具付防水型コネクタの接続終了後の概略図である。
【００５９】
作業者は、図１に示す状態にある治具付防水型コネクタ１の防水型コネクタ３を電子機器６に設けられた相手コネクタ７に接続するため、図７に示すように、挿入用開口５１０にコネクタ本体７０の先端部７００を挿入する。続いて作業者は、治具５を手で掴み、図７に示す矢印Ｃ方向に治具付防水型コネクタ１を押し込む。
【００６０】
このとき、相手コネクタ７の先端部７００は、防水型コネクタ３の挿入孔３０２に挿入され、挿入孔３０２内を矢印Ｃ方向に変位する。
【００６１】
作業員は、さらに図７に示す状態から矢印Ｃ方向に治具付防水型コネクタ１を変位させると、図８に示すように、コネクタ本体７０の先端部７００がシールパッキン３３に接触する前に、治具５の先端部５１７が基部７４に接触し、治具５の矢印Ｃ方向の変位が規制される。なお、先端部５１７が接触する物（所定の部材）は、基部７４に限定されず、電子機器６の設置面６０でも良い。
【００６２】
作業者は、図８の状態からさらに防水型コネクタ３を変位させるため、この押下用開口５１３、ハーネス用開口５１２及び取付用開口５１１から露出する所定の領域に対して、図８に示す矢印Ｃ方向に力を付加する。これは、作業者は、止部５１４によって防水型コネクタ３の両端部３５が覆われているため、押せないからである。
【００６３】
よって作業者は、防水型コネクタ３の中央部付近、すなわち押下部３１０付近、及びハーネス４を介して押下部３１０に対向する端部付近に対して力を付加することになるため、矢印Ｃ方向に対して斜め方向に力を付加することがない。作業者は、シールパッキン３３を座屈させることなく防水型コネクタ３と相手コネクタ７とを接続することが可能となる。
【００６４】
続いて相手コネクタ７側に押された防水型コネクタ３は矢印Ｃ方向に変位することで、コネクタ本体７０が挿入孔３０２内を挿入ガイド３０３、３０４に案内されながら変位し、先端部７００が偏ることなくシールパッキン３３に対して均等に接触する。
【００６５】
先端部７００は、シールパッキン３３の先端部３３０に接触し、続いて第１の山部３３１、第１の谷部３３２、第２の山部３３３、第２の谷部３３４、第３の山部３３５及び終端部３３６と弾性変形させながら挿入孔３０２を接続が完了する位置まで変位する。
【００６６】
このときシールパッキン３３の先端部３３０、第１〜第３の山部３３１、３３３、３３５、第１及び第２の谷部３３２、３３４、終端部３３６は、弾性変形することによって、開口７１の内壁、及び防水型コネクタ３の挿入部３２に密着するので、挿入部３２に対する外部からの液体や塵といった物質の侵入を防止することができる。
【００６７】
また、シールパッキン３３は、偏った力が付加されることなく先端部７００が均等に接触するので、座屈することがないので、挿入部３２に対する物質の侵入を確実に防止することができる。
【００６８】
防水型コネクタ３のロック板３１１の先端部は、相手コネクタ７の爪部７３１の斜面に接触し、ロック板３１１は、その斜面に沿って上方に変形する。防水型コネクタ３が、さらに矢印Ｃ方向に変位すると、図９に示すように、ロック板３１１の先端部が、爪部７３１の斜面を乗り越え、爪部７３１がロック開口３１２と結合を行う。
【００６９】
この結合によって、相手コネクタ７と防水型コネクタ３は、接続状態が保持される。
【００７０】
作業者は、ロック確認用開口５１５から爪部７３１とロック開口３１２の結合を確認したのち、治具５のガイド５１６に対する防水型コネクタ３の側面部ガイド３００の挿入が解除されるまで治具５を矢印Ｃ方向とは反対の方向に変位させる。
【００７１】
続いて作業者は、ハーネス４をハーネス用開口５１２及び取付用開口５１１を介して治具５と分離させ、防水型コネクタ３の相手コネクタ７への接続作業を終了させる。
【００７２】
接続作業終了後、治具５は集められ、接続前のハーネス付防水型コネクタ２に取付けられ、治具付防水型コネクタ１とすることで、何度でも使用することができ、経済的である。
【００７３】
（効果）
（１）上記した実施の形態における治具付防水型コネクタ１及び治具５によれば、作業者が防水型コネクタ３に力を付加できる部分を所定の領域に制限することによって、防水型コネクタ３と相手コネクタ７との斜めの接続を抑制することができる。
【００７４】
（２）上記した実施の形態における治具付防水型コネクタ１及び治具５によれば、作業者が、治具５を接続方向に変位させるだけでは、相手コネクタの先端部７００が相手コネクタ３のシールパッキン３３に接触しないので、防水型コネクタ３に力を付加できる部分を所定の領域に制限することができる。
【００７５】
（３）上記した実施の形態における治具付防水型コネクタ１及び治具５によれば、治具５は、取付用開口５１１、ハーネス用開口５１２及び押下用開口５１３を所定の領域として限定して露出させるので、防水型コネクタ３の中央部、及び中央部に近い端部付近以外の部分に対する作業者による力の付加を規制することができる。
【００７６】
（４）上記した実施の形態における治具付防水型コネクタ１及び治具５によれば、シールパッキン３３を座屈させることなく相手コネクタ７と防水型コネクタ３を接続することができるので、挿入部３２に対する物質、特に水の浸入を確実に防止することができる。
【００７７】
（５）上記した実施の形態における治具付防水型コネクタ１及び治具５によれば、治具５は、ロック確認用開口５１５を有しているので、相手コネクタ７のロック部７３と、防水型コネクタ３のロック部３１との接続を治具５を取付けた状態で確認することができることから作業効率が向上し、また、相手コネクタ７と防水型コネクタ３を確実に接続することができる。
【００７８】
（６）上記した実施の形態における治具付防水型コネクタ１及び治具５によれば、挿入用開口５１０及びハーネス用開口５１２に繋がる開口として取付用開口５１１を有しているので、相手コネクタ７に防水型コネクタ３を接続したのち、容易に防水型コネクタ３から治具５を取外すことができ、作業効率が向上する。
【００７９】
（７）上記した実施の形態における治具付防水型コネクタ１及び治具５によれば、治具５は、防水型コネクタ３が相手コネクタ７に接続された後、回収し、再び治具付防水型コネクタ１とすることができるので、何度でも使用することができ経済的である。
【００８０】
（他の実施の形態について）
（１）上記した実施の形態における防水型コネクタ３は、矩形状であったが、一例として、正方形のコネクタであっても良く、その場合は、当該コネクタのロック部が押下用開口５１３から露出するように、治具５は形成される。
【００８１】
（２）上記した実施の形態における端子挿入開口３２Ａ〜３２Ｊ、及び挿入される端子は、同種類のものが格子状に挿入部３２に設けられ、また、挿入されていたが、これに限定されず、用途に応じて異なる端子と、その端子に応じた端子挿入開口が挿入部３２に設けられても良く、その数は限定されない。
【００８２】
（３）上記した実施の形態におけるシールパッキン３３は、山部と谷部が外側に設けられた形状を有していたが、これに限定されず、外側と内側に山部と谷部を有する構成としても良い。
【００８３】
（４）上記した実施の形態におけるロック部３１、７３の数、及び配置は、これに限定されず、用途に応じて変更可能である。その変更された配置に基づいて、治具５の取付用開口５１１、ハーネス用開口５１２、及び押下用開口５１３の形状及び位置は、変更される。
【００８４】
なお、本発明は、上記した実施の形態に限定されず、本発明の技術思想を逸脱あるいは変更しない範囲内で種々の変形が可能である。
【図面の簡単な説明】
【００８５】
【図１】本発明の実施の形態に係る治具付防水型コネクタの斜視図である。
【図２】本発明の実施の形態に係るハーネス付防水型コネクタの斜視図である。
【図３】本発明の実施の形態に係る防水型コネクタの図２におけるＡ−Ａ線断面図である。
【図４】（ａ）は、本発明の実施の形態に係るシールパッキンの概略図であり、（ｂ）は、図４におけるＢ−Ｂ線断面図である。
【図５】本発明の実施の形態に係る治具の斜視図である。
【図６】本発明の実施の形態に係る相手コネクタの概略図である。
【図７】本発明の実施の形態に係る治具付防水型コネクタの接続開始時の概略図である。
【図８】本発明の実施の形態に係る治具付防水型コネクタの接続途中の概略図である。
【図９】本発明の実施の形態に係る治具付防水型コネクタの接続終了後の概略図である。
【符号の説明】
【００８６】
１…治具付防水型コネクタ、２…ハーネス付防水型コネクタ、３…防水型コネクタ、４…ハーネス、５…治具、６…電子機器、７…相手コネクタ、３０…コネクタ本体、３１…ロック部、３２…挿入部、３２Ａ〜３２Ｊ…端子挿入口、３２ａ〜３２ｅ…雌端子、３３…シールパッキン、３４…リテーナ、３５…端部、４０Ａ〜４０Ｅ、４０Ｊ…電線、５０…治具本体、５１…収納部、６０…設置面、７０…コネクタ本体、７１…開口、７２…ガイド、７３…ロック部、７４…基部、３００…側面部ガイド、３０１…側面部開口、３０２…挿入孔、３０３…挿入ガイド、３０４…挿入ガイド、３１０…押下部、３１１…ロック板、３１２…ロック開口、３３０…先端部、３３１…第１の山部、３３２…第１の谷部、３３３…第２の山部、３３４…第２の谷部、３３５…第３の山部、３３６…終端部、５１０…挿入用開口、５１１…取付用開口、５１２…ハーネス用開口、５１３…押下用開口、５１４…止部、５１５…ロック確認用開口、５１６…ガイド、５１７…先端部、７００…先端部、７３０…ガイド、７３１…爪部
【図１】
2010055956.tif 000003
【図２】
2010055956.tif 000004
【図３】
2010055956.tif 000005
【図４】
2010055956.tif 000006
【図５】
2010055956.tif 000007
【図６】
2010055956.tif 000008
【図７】
2010055956.tif 000009
【図８】
2010055956.tif 000010
【図９】
2010055956.tif 000011